(57)【要約】【課題】３層以上の記録層（１１、１２、１３、１４）を有する光ディスクの記録方法において、最適記録パワーを決定するためのテスト記録のための時間を短縮する。【解決手段】奇数番目の記録層（１１，１３）の再生専用領域（４１，４３）が互いに厚さ方向に整列した位置に形成され、偶数番目の記録層（１２，１４）の再生専用領域（４２，４４）が互いに厚さ方向に整列した位置に形成され、奇数番目の記録層（１１，１３）における再生専用領域（４１，４３）の少なくとも一部と偶数番目の記録層（１２，１４）における再生専用領域（４２，４４）の少なくとも一部とが光ディスクの厚さ方向に互いに重ならないように形成されている。【選択図】図９
2006252762.tif 000002
【特許請求の範囲】
【請求項１】
３層以上の記録層を有し、
それぞれの記録層に再生専用領域を有し、それぞれの記録層にユーザデータを記録する際の最適記録パワーを決定するためのテストデータの記録によりテスト記録領域が形成される光ディスクにおいて、
奇数番目の記録層の前記再生専用領域が互いに厚さ方向に整列した位置に形成され、偶数番目の記録層の前記再生専用領域が互いに厚さ方向に整列した位置に形成され、奇数番目の記録層における再生専用領域の少なくとも一部と偶数番目の記録層における再生専用領域の少なくとも一部とが光ディスクの厚さ方向に互いに重ならないように形成されたことを特徴とする光ディスク。
【請求項２】
前記再生専用領域には、当該ディスクに対する記録条件が記録されていることを特徴とする請求項１に記載の光ディスク。
【請求項３】
奇数番目の記録層における前記再生専用領域のうちの前記一部の一部または全体に対向する位置に、偶数番目の記録層における前記テスト記録領域が形成され、
偶数番目の記録層における前記再生専用領域のうちの前記一部の一部または全体に対向する位置に、奇数番目の記録層における前記テスト記録領域が形成される
ことを特徴とする請求項１に記載の光ディスク。
【請求項４】
記録層を有する光ディスクの記録方法において、
記録層にユーザデータを記録する際の最適記録パワーを決定するためテストデータを記録し、再生し、再生結果を評価することにより前記最適記録パワーを求める工程を有し、
前記テストデータを、記録層の最内周付近と最外周付近の双方に記録してそれぞれについて最適記録パワーを求め、
前記ユーザデータの記録に当たり、前記最内周付近について求めた最適記録パワーと、前記最外周付近について求めた最適記録パワーと、ユーザデータが記録される半径方向上の位置とに基づいて、当該記録位置におけるユーザデータの記録のための最適記録パワーを決定することを特徴とする光ディスクの記録方法。
【請求項５】
最内周付近のテスト記録領域でテストデータの記録から最適記録パワーの決定までの処理を行うことにより求められた最適記録パワーを、径方向上の所定の位置よりも内周側でのユーザデータの記録に利用し、最外周付近のテスト記録領域でテストデータの記録から最適記録パワーの決定までの処理を行うことにより求められた最適記録パワーを径方向上の所定の位置よりも外周側でのユーザデータの記録に用いることを特徴とする請求項４に記載の記録方法。
【請求項６】
ユーザデータを記録する半径方向上の位置に応じて、最内周付近のテスト記録領域でテストデータの記録から最適記録パワーの決定までの処理を行うことにより求められた最適記録パワーと最外周付近のテスト記録領域でテストデータの記録から最適記録パワーの決定までの処理を行うことにより求められた最適記録パワーを加重平均することにより得られる記録パワーをその記録位置における最適記録パワーとしてユーザデータの記録を行うことを特徴とする請求項４に記載の記録方法。
【請求項７】
記録層のテスト記録領域に、第１の所定の区分幅ずつ互いに異なる複数の値の記録パワーでテストデータの記録を行ない、記録されたテストデータを再生し、再生結果を評価することにより最適記録パワーの概略値を求める第１の工程と、
記録層のテスト記録領域に、前記第１の所定の区分幅よりも小さい第２の所定幅ずつ互いに異なり、かつ前記最適記録パワーの概略値に近い範囲内の、複数の値の記録パワーでテストデータの記録を行ない、記録されたテストデータを再生し、再生結果を評価することにより、前記最適記録パワーのより正確な値を求める第２の工程と、
前記最適記録パワーのより正確な値に基づいて、ユーザデータの記録を行う第３の工程と
を有する光ディスクの記録方法。
【請求項８】
前記光ディスクが少なくとも第１の記録層と第２の記録層とを有し、
前記第１の記録層へのユーザデータの記録の後に前記第２の記録層へのユーザデータの記録を行う場合に、
前記第１の記録層へのユーザデータの終了前に前記第２の記録層に対して前記第１の工程を行い、
前記第１の記録層へのユーザデータの記録の終了の後であって前記第２の記録層へのユーザデータの記録の開始の前に、前記第２の記録層に対して前記第２の工程を行う
ことを特徴とする請求項７に記載の記録方法。
【請求項９】
複数の記録層を有する光ディスクの記録方法において、
記録層にテストデータを記録し、再生し、再生結果を評価することにより前記最適記録パワーを決定する工程を有し、
前記複数の記録層へのユーザデータの記録の開始前に、前記複数の記録層に対する、前記テストデータの記録、再生、及び再生結果に基づく前記最適記録パワーの決定の処理を行うことを特徴とする
光ディスクの記録方法。
【請求項１０】
少なくとも第１及び第２の記録層を有する光ディスクの記録方法において、
記録層にテストデータを記録し、再生し、再生結果を評価することにより前記最適記録パワーを決定する工程を有し、
前記第１の記録層へのユーザデータの記録の後に前記第２の記録層へのユーザデータの記録を行う場合に、
前記第１の記録層へのユーザデータの記録の終了の前に、前記第１及び第２の記録層に対するテストデータの記録から最適記録パワーの決定までの処理を同時に行って、前記第１及び第２の記録層のための最適記録パワーを決定し、
その後第１の記録層に対するテストデータの記録から最適記録パワーの決定までの処理を行って前記第２の記録層のための新たな最適記録パワーを決定し、
前記新たな最適記録パワーを決定した後は、前記第１の記録層に対するそれ以降のユーザデータの記録を前記新たな最適記録パワーを用いて行い、
前記第１の記録層に対するユーザデータの記録の終了時に用いていた記録パワーと、それ以前に同時に行った前記第１及び第２の記録層に対するテストデータの記録から最適記録パワーの決定までの処理を行った結果得られたそれぞれの記録層に対する最適記録パワー相互間の比を用いて、前記第２の記録層へのユーザデータの記録を開始することを特徴とする光ディスクの記録方法。
【発明の詳細な説明】
【技術分野】
【０００１】
本発明は、光ディスクの記録方法及び光ディスクに関する。本発明は、特に複数の記録層を有する光ディスクの記録方法に関し、特に各記録層に於ける最適記録パワーを決定するためのテストデータの記録に関する。本発明はまた、上記記録方法で記録に用いられる光ディスク及び上記の記録方法で記録が行われた光ディスクに関する。
【背景技術】
【０００２】
従来の複数の記録層を有する光ディスクの記録方法においては、各記録層にテスト記録を行う際、テスト記録領域を互いに隣接する記録層間で厚さ方向に重なり合う位置に形成していた。そして、隣接する記録層の影響を考慮せずに各記録層毎に最適記録パワーを決定していた。その結果、隣接する層の影響により、決定された最適記録パワーが真値から若干ずれる場合があった。
【０００３】
この改善策として、情報（ユーザデータ）を記録する層以外の記録層、特に手前側（光ピックアップが設けられた側）に位置する記録層のテスト領域の使用状況を確認した後に、上記情報を記録する層のテスト記録を行う方法が提案された（例えば、特許文献１参照）。
【０００４】
【特許文献１】特開２０００−３１１３４６号公報（図１乃至８）
【発明の開示】
【発明が解決しようとする課題】
【０００５】
しかし、上記特許文献１に記載された方法では、一つの記録層のテスト記録を行う際に、他の記録層のテスト記録領域の使用状況を確認するので、記録を開始するまでに長い時間を要すると言う問題があった。
本発明は、記録を開始するまでの時間を短くすることを目的とする。
【課題を解決するための手段】
【０００６】
本発明は、
３層以上の記録層を有し、
それぞれの記録層に再生専用領域を有し、それぞれの記録層にユーザデータを記録する際の最適記録パワーを決定するためのテストデータの記録によりテスト記録領域が形成される光ディスクにおいて、
奇数番目の記録層の前記再生専用領域が互いに厚さ方向に整列した位置に形成され、偶数番目の記録層の前記再生専用領域が互いに厚さ方向に整列した位置に形成され、奇数番目の記録層における再生専用領域の少なくとも一部と偶数番目の記録層における再生専用領域の少なくとも一部とが光ディスクの厚さ方向に互いに重ならないように形成されたことを特徴とする光ディスクを提供する。
【発明の効果】
【０００７】
本発明によれば、各記録層のうち、隣接する記録層の再生専用領域に対向する、部分にテスト記録領域を形成することにより、互いに隣接する層間ではテスト記録領域が重ならないようになるため、テスト記録時に隣接する記録層の使用状況を調査する必要がない。従って、記録を開始するまでの時間を短くすることができる。また、上記再生専用領域の配置が、偶数番目の記録層用の配置と、奇数番目の記録層用の配置の２種類だけに統一されているので、光ディスクの製造工程を簡単にすることができると言う効果がある。また、テスト記録を行う記録再生装置がコンピュータプログラムで動作する制御手段を有する場合、プログラムによる処理も奇数番目の記録層用と偶数番目の記録層用の２種類だけで対応可能であるので、プログラムを簡単にすることができる。
【発明を実施するための最良の形態】
【０００８】
以下、図面を参照して本発明の実施の形態を説明する。
実施の形態１．
図１はこの発明の実施の形態１の記録方法によりテストデータが記録された光ディスクを示す概略平面図、図２は図１のＩＩ−ＩＩ線に沿う概略断面図であり、図１における光ディスク上の各層のテスト記録領域の位置関係を示す概略断面図である。
【０００９】
図１及び図２に示す光ディスク１には記録層が４層、即ち表面（光ピックアップに対向する側）に近い側から順に、第１、第２、第３、第４の記録層１１、１２、１３、１４が形成されている。第１、第２、第３、第４の記録層１１、１２、１３、１４には、それぞれの記録層に対する最適記録パワーを決定するためにテストデータが記録され、この記録によりテスト記録領域２１、２２、２３、２４が形成されている。
【００１０】
表面側（図２で下側、即ち、後述の光ピックアップが設けられる側）から数えて奇数番目の記録層（以下、単に「奇数層」と言うことがある）、即ち第１及び第３の記録層１１、１３においては、互いに厚さ方向に整列した位置、即ち始点も終点も厚さ方向に整列するようにテスト記録領域２１、２３が形成され、偶数番目の記録層（以下、単に「偶数層」と言うことがある）、即ち第２及び第４の記録層１２、１４においては、互いに厚さ方向に整列した位置、即ち始点も終点も厚さ方向に整列するようにテスト記録領域２２、２４が形成されている。
また、奇数層のテスト記録領域２１、２３と偶数層のテスト記録領域２２、２４とは互いに重ならないように配置されている。
さらに、図１に示したように、奇数層のテスト記録領域と偶数層のテスト記録領域が共に光ディスクの最内周付近、即ち最内周縁１ａの近傍に形成されている。
【００１１】
テスト記録領域２１、２２、２３、２４に対向する領域（対向領域）、即ちディスクの厚さ方向に整列し、隣接する記録層内に位置する領域３１、３２，３３、３４は、光記録装置による記録をしない領域（非記録領域）とされている。言換えると、非記録領域３１乃至３４とテスト記録領域１１乃至１４とが互いに対向するようにテスト記録領域１１乃至１４の位置が定められている。非記録領域は例えば再生専用領域である。この再生専用領域は、例えばピットで構成されたものであり、例えばディスクの記録条件、例えばライトストラテジ推奨値、推奨アシンメトリ値、波長推奨値などが記録されており、通常、テスト記録に先立ちこの再生専用領域に記録された上記のデータが読取られ、これに基づいてテスト記録の条件が定められる。
対向領域を再生専用領域とする場合には、ディスクの製造に当たっては、上記のようなテスト記録領域２１乃至２４の配置（形成予定位置）を考慮して、テスト記録領域２１乃至２４に対向することになる位置に再生専用領域を形成する。
テスト記録領域２１乃至２４と非記録領域３１乃至３４の間の領域３０は、例えば管理データの記録のための領域として用いられる。
非記録領域３１乃至３４、管理データの記録のための領域３０、及びテスト記録領域２１乃至２４以外の大部分が記録可能又は追記可能なユーザデータ領域２０である。
【００１２】
図３は、光ディスクの記録に用いられる光記録装置を示す概略図である。
図示のように、この光記録装置は、光ディスク１の選択された記録層（１１乃至１４のいずれか）にレーザビームを照射するとともにその反射光を受光する光ピックアップ５２と、光ピックアップ５２のレーザ５４にレーザ駆動信号を供給するレーザ駆動回路５５と、光ピックアップ５２に対物レンズ駆動信号を供給するサーボ制御回路５６と、レーザ駆動回路５５及びサーボ制御回路５６を制御する中央制御回路５８とを備えている。
【００１３】
光ピックアップ５２は、光ディスク１に情報を記録したり再生したりするためのレーザ光を出射するレーザ（例えば半導体レーザ）５４のほか、コリメートレンズ６１と、レーザ５４からのレーザ光を通過させて記ディスク１に照射し、光ディスク１からの反射光を所定の方向に反射するビームスプリッタ６２と、対物レンズ６３と、検出レンズ６４と、反射された反射光を光電変換する光検出器６５とを有する。
サーボ制御回路５６は、光検出器６５の出力に基いて、光ピックアップ５２の対物レンズ６３を駆動してトラッキング制御及びフォーカス制御を行なう。
レーザ駆動回路５５は、レーザ５４に供給する電流レベルを調整することにより、レーザ５４が出射するレーザ光のパワーを制御する。
【００１４】
上記の光記録装置はさらに、テストパターン発生回路６６と、光検出器６５により検出された情報を含む信号を再生する再生回路６７と、再生回路６７から出力される再生信号のジッタを検出するジッタ検出回路６８とを有する。
【００１５】
書き込み、読み出しに際し、サーボ制御回路５６によるフォーカス制御により、所望の記録層が選択される。即ち、所望の記録層にフォーカス（合焦）するように制御が行われる。
【００１６】
テストデータの記録時には、テストパターン発生回路６６からテストパターンがレーザ駆動回路５５に出力される。レーザ駆動回路５５は、中央制御回路５８により記録パワーが指示され、この指示された光パワーに相当するテストパターンの電流をレーザ５４に供給する。
レーザ５４より出射されたテストパターンの電流に対応するレーザ光は、コリメートレンズ６１、ビームスプリッタ６２及び対物レンズ６３を通過し光ディスク１の、フォーカス制御により選択された記録層（１１、１２、１３、１４のいずれか）に照射され、当該記録層にテストパターンに対応したテストデータが記録される。
【００１７】
記録されたテストデータの再生に際しては、レーザ駆動回路５５は、中央制御回路５８により再生時のパワーが指示され、この再生パワーに相当する電流をレーザ５４に供給する。レーザ５４より出射されたレーザ光はコリメートレンズ６１、ビームスプリッタ６２、対物レンズ６３を通過し、光ディスク１の選択された記録層（１１、１２、１３、１４のいずれか）に集光照射される。
当該選択された記録層からの反射光は対物レンズ６３を通過し、ビームスプリッタ６２で反射され、検出レンズ６４を通過して光検出器６５で受光され、光電変換される。光検出器６５からの検出信号は、サーボ制御回路５６及び再生回路６７へ出力される。
サーボ制御回路５６は、検出信号に基いてトラッキング制御及びフォーカス制御を行なう。
再生回路６７は、検出信号に対し、復調、エラー訂正などの処理を行い、再生信号を出力する。再生回路６７からの再生信号は、ジッタ検出回路６８に供給され、ジッタが検出される。
【００１８】
中央制御回路５８は、例えばＣＰＵ（中央処理ユニット）５８ａと、該ＣＰＵの動作のためのプログラムを格納したプログラムメモリ５８ｂと、データを記憶するデータメモリ５８ｃとを備えたもので構成される。プログラムメモリ５８ｂに格納されたプログラムには、以下に説明する動作を制御するためのプログラムが含まれる。
【００１９】
上記の光記録装置は、ユーザデータの記録のみならず、テストデータの記録をも行い得るものである。以下、上記のような光記録装置を用いて行われるテスト記録について説明する。
【００２０】
テスト記録は、各記録層へのユーザデータの記録に先立って行われるものであり、各記録層の一部をテスト記録領域と指定して行われる。テスト記録領域の指定は、テスト記録領域が図１及び図２に示したような位置関係となるように行われる。
【００２１】
以下、図４を参照して記録の手順を説明する。
最初に、第１の記録層１１に記録を行うものとして説明する。
まず、記録を行う記録層、例えば第１の記録層１１へ合焦点（光スポット）を移動する（Ｓ１）。これは、中央制御回路５８からサーボ制御回路５６にフォーカス制御の目標（追従対象）となる記録層を指定する情報を与え、サーボ制御回路５６がこれに従って対物レンズ６３をディスクの記録面に垂直な方向に移動させることによりなされる。
次に、その記録層に設けられたテスト記録領域、例えばテスト記録領域２１に合焦点を移動する（Ｓ２）。これは、中央制御回路５８からサーボ制御回路５６にシーク動作及びトラッキングの目標となるトラックを指定する情報（トラックアドレス）を与え、サーボ制御回路５６がこれに従って対物レンズ６３をディスクの記録面に平行な方向に移動させ、さらにはセクタアドレスに基づいて指定されたセクタを検出することによりなされる。
次にそのテスト記録領域２１にテストデータを記録し、その信号を再生することにより最適記録パワーを決定する（Ｓ３）。決定された最適記録パワーを表す情報は、中央制御回路５８内のデータメモリ５８ｃに記憶される。
本願では、ステップ１からステップＳ３までの処理を単に「テスト記録」と言うことがある。
そして、その後、上記データメモリ５８ｃに記憶された最適記録パワーを用いて当該記録層上のユーザデータ領域２０にユーザデータの記録を行う（Ｓ４）。
【００２２】
他の記録層、即ち第２乃至第４の記録層１２乃至１４についてもステップＳ１乃至Ｓ４と同様に、テスト記録（ステップＳ１乃至Ｓ３）を行った後にユーザデータの記録（ステップＳ４）が行われる。一つの記録層へのユーザデータの記録（ステップＳ４）が終わる前に、他の記録層に対するテスト記録（ステップＳ１乃至Ｓ３）を行うようにしても良い。
例えば、第１、第２、第３、第４の記録層の順に記録を行う場合には、第１の記録層１１へのユーザデータの記録が終わる前に、例えば第１の記録層１１へのユーザデータの記録の合間に、第２の記録層１２に対するテスト記録を行っても良い。同様に、第２の記録層１２へのユーザデータの記録が終わる前に、例えば第１又は第２の記録層１１又は１２へのユーザデータの記録の合間に、第３の記録層１３に対するテスト記録を行っても良い。同様に、第３の記録層１３へのユーザデータの記録が終わる前に、例えばユーザデータの記録の合間に、第４の記録層１４に対するテスト記録を行っても良い。
但し、最適記録パワーに影響を与える記録条件は時々刻々変化するので、その観点からすると、各記録層に対するテスト記録と、その記録層に対するユーザデータの記録開始までの時間は短い方が良く、各記録層に対するユーザデータの記録開始の直前に、その記録層に対するテスト記録を行うのが望ましい。
【００２３】
第１乃至第４の記録層においてテストデータを記録するテスト記録領域は、図１及び図２を参照して説明したような配置となるように定められる。これは例えば、中央制御回路５８でテストデータの記録を行う領域をトラックアドレス及びセクタアドレスで指定する際に、これらの領域が図１及び図２に示すような配置となるようにトラックアドレス及びセクタアドレスを定めることにより行われる。
【００２４】
図５は、図４のステップＳ３の処理、即ちテスト記録領域へのテストデータの記録、再生及び最適記録パワーの決定の処理の詳細を示す。
図示のように、まず、そのテスト記録領域にテストデータを記録する（Ｓ１１乃至Ｓ１４）。次に、記録した信号を再生する（Ｓ１５）。そして、再生した信号に基づいて最適記録パワーを決定する（Ｓ１６）。
【００２５】
テスト記録領域へのテストデータの記録に当たっては、テスト記録領域に対し記録を行いながら記録パワーを段階的に変更する。例えば図６に示すように、段階的に減少させる。そのために最初に記録パワーを初期値（Ｐｉ）に設定し（Ｓ１１）、テスト記録領域（テストデータを記録すべき領域）のうちの、まだテストデータが記録されていない部分（空き領域）のうちの所定の長さの部分を指定して、そこにテストデータを記録し（Ｓ１２）、記録パワーを変更し、例えば所定の区分幅（決定の分解能乃至ステップ）ΔＰだけ減少させる（Ｓ１３）。そして、記録パワーの変更が所定回数に達していないことを確認して（Ｓ１５），ステップＳ１２に戻り、変更後の記録パワーでテスト記録領域のうちの空き領域のうちの所定の長さの部分を再び指定して、そこにテストデータを記録する（Ｓ１２）。記録パワーの変更が所定回数に達したときは（Ｓ１４）、ステップＳ１５に進む。ステップＳ１２における空き領域のうちの所定の長さの部分の指定は、空き領域に属するセクタのアドレスを指定することにより行われる。
【００２６】
なお、ステップＳ１４では、記録パワーの変更が所定回数に達したかどうかの判定を行う代わりに、記録パワーが所定値に達した（所定の最終値まで下がった）かどうかの判定を行うこととしても良い。
【００２７】
上記の段階的記録パワーの段階的変更の初期値は、ディスクの製造上のバラツキや記録条件（温度など）の如何を問わず、最適記録パワーが存在し得ると考えられる範囲（最大範囲）Ｒ１の上限（最大値）Ｐｏｍａｘであり、記録パワーの段階的変更の最終値は上記最大範囲の下限（最小値）Ｐｏｍｉｎである。
【００２８】
ステップＳ１５では、記録されたテストデータを再生し、図７に示したように記録パワーと再生信号品質（例えばジッタ）の関係を求め、最も再生信号品質が良くなる記録パワー（ジッタの場合には、ジッタが最小になる記録パワー）を最適記録パワーとして求める（Ｓ１６）。
【００２９】
記録パワーとジッタとの関係を求める代わりに、記録パワーと再生信号振幅の関係に基づいて最適の記録パワーを求めても良い。実際の光ディスク装置においてはテスト記録領域の容量が限られていることや、最適記録パワーとジッタの関係を求めるには、時間を要するためである。さらに、記録パワーとアシンメトリ値との関係に基づいて、最適記録パワーを求めても良い。このような場合には、図３のジッタ検出回路６８の代わりに、再生信号振幅検出回路、アシンメトリ値検出回路を設ける。
【００３０】
本実施の形態では、上記のように、隣接した記録層間では、テスト記録領域が互いにディスクの厚さ方向に重ならないように配置している。その理由は以下の通りである。即ち、テスト記録領域においては記録パワーが最適値と想定される値よりも小さい値から大きい値まで変化させて記録を行うため、高記録パワーでの記録も行われる。その記録パワーは光ディスク装置に依存して自由に決定され、規定することも困難であるため、テスト記録領域に対向する領域、即ち隣接する記録層の厚さ方向に互いに整列した領域に影響を及ぼす可能性が高い。そこで、このような影響を避けるため、隣接する記録層間では、テスト記録領域が互いに厚さ方向に重ならないようにした。
例えば、図８に示すように、例えば第３の記録層１３に対して記録パワーを照射する際に、手前側、即ち光ピックアップ５２の設けられた側にある第２の記録層１２に対してもある程度の記録パワーが与えられることとなる。その影響の度合い記録層間の間隔により異なり、間隔が大きいほど光スポット径が大きくなり、エネルギー密度が小さくなり、受ける影響も小さくなるが、隣接する記録層（第２の記録層１２）ではエネルギー密度もかなり大きく影響を無視できない。
【００３１】
一方、間に別の記録層が介在している記録層相互間、例えば第１の記録層１１と第３の記録層１３の間では、テスト記録領域同士が互いに厚さ方向に整列するようにしているが、その理由は以下の通りである。
まず、間に別の記録層が介在している記録層間では、上記のような、１つの記録層に記録を行うときの他の記録層への影響が小さい。例えば、図８において、合焦位置にある第３の記録層１３から、隣接する第２の記録層１２で隔てられた第１の記録層１１への影響は、第２の記録層１２への影響に比べて格段に小さく、無視できる程度である。これは、影響の度合いは、記録層間の距離の二乗に比例して低下するからである。
【００３２】
また、熱の拡散路を考慮しても、記録層は金属膜や色素等の比較的熱伝導率が大きい材料で構成されており、図８に矢印Ｄ１乃至Ｄ４で示すようにそれぞれの記録層に沿った熱拡散があり、そのうち、合焦位置にある第３の記録層１３における熱拡散Ｄ３、それに隣接する第２及び第４の記録層１２、１４における熱拡散Ｄ２、Ｄ４のため、第１の記録層１１に達する熱はかなり小さくなる。
【００３３】
３層以上の記録可能光ディスクにおいてはすべての記録層の記録領域が互いに重なり合わないようにすることも考えられるが、それには以下の問題がある。例えば第３の記録層１３のテスト記録領域２３の配置方法として、テスト記録領域２３を第１の記録層１１のテスト記録領域２１及び第２の記録層１２のテスト記録領域２２の双方と重ならない更に異なる位置に配置する場合には、それらのテスト記録領域に対向する領域が増え、このような対向領域は通常のユーザデータの記録には適さないので、記録領域の利用効率が下がる。
また、例えば、再生専用領域とテスト記録領域とが対向するような配置にする場合などには、各記録層のディスク構造（再生専用領域の配置）が記録層ごとに異なることになり、ディスクの製造工程が複雑となる。さらにテスト記録やユーザデータの記録を行う場合のアドレス指定のための記録再生装置のプログラムが複雑となる。
【００３４】
それに対して、本実施の形態においては、例えば第３の記録層１３のテスト記録領域２３が第１の記録層１１のテスト記録領域２１と厚さ方向に整列した位置に配置されており、第３のテスト記録領域２３に対応した位置に新たに対向領域を追加する必要がない。また、第３の記録層１３内部の配置は第１の記録層１１と同様とすることが可能で、ディスクの製造工程や記録再生装置のプログラムが簡単となる。
【００３５】
また、第４の記録層１４のテスト記録領域２４が第２の記録層１２のテスト記録領域２２と厚さ方向に整列した位置に配置されており、第４のテスト記録領域２４に対応した位置に新たに対向領域を追加する必要がない。また、第４の記録層１４内部の配置は第２の記録層１２と同様とすることが可能で、ディスクの製造工程や記録再生装置のプログラムが簡単となる。
【００３６】
本実施の形態１では記録層が４層ある場合について示したが、３層や５層以上の記録層を有するディスクの場合も同様に、奇数層のテスト記録領域を互いに厚さ方向に整列した位置に形成し、偶数層のテスト記録領域を互いに厚さ方向に整列した位置に形成すれば良い。
【００３７】
さらに、上記のように、非記録領域３１乃至３４とテスト記録領域１１乃至１４とが互いに対向するようにテスト記録領域１１乃至１４の位置を定めることにより以下の効果が得られる。即ち、互いに隣接する層間で、テスト記録領域と重なり合うと、テスト記録領域と対向する領域が、テスト記録の影響を受けて、後にその領域にテスト記録を行う際、正しいテスト記録が行えなくなる可能性がある。そこで、記録パワーの影響を受けない非記録領域、例えば再生専用領域等がテスト記録領域に対向するような配置にすることにより上記の問題を解決することができる。
【００３８】
なお、上記の例では、再生専用領域が、テスト記録領域の対向領域に一致しているが、再生専用領域がテスト記録領域に対向する領域以外の領域をも占めるように構成されていても良い。そのような構造の一例を図９及び図１０に示す。図９は、図１と同様の、ただし、ディスクの中心部を拡大して示す平面図、図１０は、図２と同様の、図９のＸ−Ｘ線に沿う概略断面図である。
【００３９】
図９及び図１０の光ディスクは、図１及び図２の光ディスクと同様である。しかし、奇数番目の記録層１１，１３の再生専用領域４１、４３が互いに厚さ方向に整列した位置に形成され、偶数番目の記録層１２、１４の再生専用領域４２、４４が互いに厚さ方向に整列した位置に形成され、奇数番目の記録層１１、１３における再生専用領域４１、４３の一部４１ａ、４３ａと偶数番目の記録層における再生専用領域４２、４４の少なくとも一部４２ａ、４４ａとが光ディスクの厚さ方向に互いに重ならないように形成されている。
そして、奇数番目の記録層１１、１３における再生専用領域４１、４３のうちの上記一部４１ａ、４３ａの一部４１ｂ、４３ｂに対向する位置に、偶数番目の記録層１２、１４におけるテスト記録領域２２、２４が形成され、偶数番目の記録層１２、１４における再生専用領域４２、４４のうちの上記一部４２ａ、４４ａの一部４２ｂ、４４ｂに対向する位置に、奇数番目の記録層１１、１３におけるテスト記録領域２１、２３が形成されている。
なお、奇数番目の記録層１１、１３における再生専用領域４１、４３のうちの上記一部４１ａ、４３ａの全体に対向する位置に、偶数番目の記録層１２、１４におけるテスト記録領域２２、２４が形成され、偶数番目の記録層１２、１４における再生専用領域４２、４４のうちの上記一部４２ａ、４４ａの全体に対向する位置に、奇数番目の記録層１１、１３におけるテスト記録領域２１、２３が形成されるようにしても良い。
【００４０】
図９及び図１０に示される光ディスクを形成するには、最初に図９及び図１０に示すように、再生専用領域４１乃至４４が形成された光ディスクを用意する。次に、それぞれの記録層に対し、上記したような手順でテスト記録を行うことにより、それぞれの記録層にテスト記録領域２１乃至２４を、図９及び図１０に示す位置に形成する。
【００４１】
なおまた、図１及び図２に示した例では、テスト記録領域２１乃至２４に対向する非記録領域３１乃至３４が再生専用領域であるが、再生専用領域以外の非記録領域としても良い。テスト領域に対向する領域が再生専用領域であると、テスト記録領域への記録や再生が、再生専用領域のピットの影響を受けるおそれがあるが、再生専用領域をテスト領域に対向する領域以外の領域に配置し、テスト領域に対向する領域を、再生専用領域以外の非記録領域とすることでそのような問題を解決することができる。そのような記録領域の配置の一例を、図１１及び図１２に示す。図１１は、図１と同様の平面図、図１２は、図２と同様の、図１１のＸＩＩ−ＸＩＩ線に沿う概略断面図である。
【００４２】
図１１及び図１２の光ディスクは、図１及び図２の光ディスクと同様である。しかし、テスト記録領域２１乃至２４に対向する領域３１乃至３４が再生専用領域以外の非記録領域であり、テスト記録領域２１乃至２４及び対向領域３１乃至３４の外側で、これらに隣接した位置に再生専用領域４１乃至４４が形成されている。
【００４３】
図９及び図１０の光ディスクや、図１１及び図１２の光ディスクの場合、記録装置は、各記録層（１１乃至１４のいずれか）のテスト記録に先立って、同じ記録層の再生専用領域（４１乃至４４のいずれか）から記録条件などを読み出し、その後で、光ピックアップの合焦点をテスト領域に移して、テスト記録を行う。その際、再生専用領域から読み出された記録条件などにより、テスト記録のための記録条件、少なくともその初期値を設定する。
上記のように、記録条件などを記録した再生専用領域がテスト記録領域に隣接ないし近接している配置とすれば、記録条件などを読み出す処理を行った後テストデータを記録領域までの合焦点の移動が少なくて済み、テスト記録に要する時間が短くて済むと言う利点がある。
【００４４】
実施の形態２．
図１３はこの発明の実施の形態２の記録方法で記録された光ディスクを示す概略平面図である。図１３に示す光ディスク２は、図１及び図２の光ディスク１と同様に、記録層が４層、即ち表面に近い側から順に第１、第２、第３、第４の記録層１１、１２、１３、１４が形成されている。第１乃至第４の記録層１１、１２、１３、１４には、それぞれの記録層に対する最適記録パワーを決定するためのテスト記録領域２１、２２、２３、２４が設けられている。
【００４５】
実施の形態１においては、奇数層と偶数層のテスト記録領域を共に光ディスク１の最内周付近、即ち最内周縁１ａの近傍に配置していたが、実施の形態２においては、奇数層１１、１３のテスト領域２１、２３が最内周付近、即ち最内周縁１ａの近傍に位置するのに対して偶数層１２、１４のテスト領域２２、２４が最外周付近、即ち最外周縁１ｂの近傍に配置されている。
【００４６】
このような配置とした場合の利点は以下の通りである。即ち、例えば第１の記録層１１では、テスト記録領域２１を最内周付近に形成することしているので、第１の記録層１１の記録は最内周側から始まり、最内周付近のテスト記録領域でテスト記録を行い、その後、内周側から外周側に向かう順序でユーザデータの記録を行い、最外周側に達したときに第１の記録層１１の記録が終わる。
なお、内周側でのテスト記録に当たり、事前にその外側であって隣接する位置にある再生専用領域に合焦点を移して記録条件情報などを読みこんだりするため、合焦点が若干内側に向かって移動したりするが、これは小さな（径方向の移動量が少ない）動きであり、このような動きがあったとしても、全体としては「内周側から外周側へ記録が進む」に該当すると言える。
次に第２の記録層１２の記録を開始するには、合焦点を第１の記録層１１から第２の記録層１２に移動させる必要がある。このとき、第２の記録層１２のテスト記録領域２２を最内周付近に形成する場合には、合焦点を最外周側から最内周付近に移動させる必要があり、そのためのアクセス時間が掛かる。一方、本実施の形態のように、テスト記録領域２２を最外周付近に形成する場合には、そのような第２の記録層１２上での移動（テスト記録領域２２に到達するまでの移動）の必要がなく、第１の記録層１１の記録が終わった時点で最外周側にある合焦点を第１の記録層１１から第２の記録層に移動させ、最外周側のテスト記録領域２１でテスト記録を行って、その後最外周側から内周側に向かう順序でユーザデータの記録を行えば良い。従って、テスト記録のための時間を短縮することができる。
同様に、第２の記録層１２の記録（テスト記録、及びユーザデータの記録）を全て完了し、合焦点がディスクの最内周側にあるとき、合焦点を第２の記録層１２から第３の記録層１３に移動させ、第３の記録層１３への記録を始める場合、テスト記録領域２３を最内周付近に形成することとするので、第３の記録層１３上での移動の必要がなくなり、テスト記録のための時間を短縮することができる。
同様に、第３の記録層１３の記録（テスト記録、及びユーザデータの記録）を全て完了し、合焦点がディスクの最外周側にあるとき、合焦点を第３の記録層１３から第４の記録層１４に移動させ、第４の記録層１４への記録を始める場合、テスト記録領域２４を最外周付近に形成することとするので、第４の記録層１４上での移動の必要がなくなり、テスト記録のための時間を短縮することができる。
このように第１及び第３の記録層１１、１３、即ち奇数層のテスト記録領域２１、２３を最内周付近に形成し、第２及び第４の記録層、即ち偶数層のテスト記録領域２２、２４を最外周付近に形成することでテスト記録のための時間を短縮することができる。
【００４７】
なお、上記のようにする代わりに、第１及び第３の記録層１１、１３、即ち奇数層のテスト記録領域２１、２３を最外周付近に形成し、第２及び第４の記録層、即ち偶数層のテスト記録領域２２、２４を最内周付近に形成することとしても良く、その場合も同様の効果が得られる。
【００４８】
各記録領域を利用してテスト記録を行う手順や、各記録層に対応して最適記録パワーを決定する手順は実施の形態１と同様である。
【００４９】
実施の形態３．
図１４はこの発明の実施の形態３の記録方法で記録された光ディスクを示す概略平面図である。図１４に示す光ディスク２は、図１及び図２の光ディスク１や、図１３の光ディスクと同様に、記録層が４層、即ち表面に近い側から順に第１、第２、第３、第４の記録層１１、１２、１３、１４が形成されている。図１及び図２の光ディスク１や図１３の光ディスク２と異なるのは、各層においてテスト記録領域が最内周付近、即ち最内周縁１ａの近傍と最外周付近、即ち最外周縁１ｂの近傍の双方に配置されていることである。具体的には、第１の記録層１１は最内周付近にテスト記録領域２１Ａを有するとともに、最外周付近にテスト記録領域２１Ｂを有する。同様に、第２、第３、第４の記録層１２、１３、１４はそれぞれ最内周付近にテスト記録領域２２Ａ、２３Ａ、２４Ａを有するとともに、最外周付近にテスト記録領域２２Ｂ、２３Ｂ、２４Ｂを有する。
【００５０】
このように各層において、最内周付近と最外周付近の双方にテスト記録領域を設けることの利点は以下の通りである。即ち、ディスクの記録を高速で行う場合、同じ線速度を得るためには最内周では最外周の倍近い回転数でディスクを回転させる必要があり、ディスクモータの使用限界を超える場合が多い。また、ディスクの記録を高速で行う場合、内周側と外周側とでは条件がかなり異なるため、最内周付近のテスト記録領域でテスト記録を行うことにより求められた最適記録パワーを外周側でのユーザデータの記録に用いると適切でない場合がある。また、最外周付近のテスト記録領域でテスト記録を行うことにより求められた最適記録パワーを内周側でのユーザデータの記録に用いると適切でない場合がある。そこで、図１４に示すように、最内周付近と最外周付近の双方にテスト記録領域を設け、最内周付近のテスト記録領域でテスト記録を行うことにより求められた最適記録パワーと最外周付近のテスト記録領域でテスト記録を行うことにより求められた最適記録パワーの双方を用い、さらにユーザデータが記録される径方向上の位置に基づいて、その記録位置における最適記録パワーを決定することで、上記の問題を解決することができる。例えば、最内周付近のテスト記録領域でテスト記録を行うことにより求められた最適記録パワーを、内周側、即ち所定の径方向上の位置、例えば中間位置よりも内周側でのユーザデータの記録に利用し、最外周付近のテスト記録領域でテスト記録を行うことにより求められた最適記録パワーを外周側、即ち所定の径方向上の位置、例えば中間位置よりも外周側でのユーザデータの記録に利用することとする。或いは、ユーザデータの記録位置（半径方向上の位置）に応じて、最内周付近のテスト記録領域でテスト記録を行うことにより求められた最適記録パワーと最外周付近のテスト記録領域でテスト記録を行うことにより求められた最適記録パワーを加重平均することにより得られた記録パワーを用いてその記録位置におけるユーザデータの記録を行うこととしても良い。
【００５１】
実施の形態４．
上記の実施の形態１に関連して、テスト記録の手順について説明したが、実施の形態１のような手順の代わりに、以下のような異なる手順でテスト記録を行うことができる。
即ち、実施の形態１では、各層に対するテスト記録を一連の動作で行い、また、テストデータの記録における記録パワーの変更（図５のステップＳ１３）における区分幅を、最適記録パワーを十分な精度で行うのに必要な値に設定しているが、上記の処理を複数の段階に分けて行っても良い。
【００５２】
以下に、２段階に分けて行う場合について説明する。この場合、最初の段階はいわば粗調整であり、テスト記録領域に、第１の所定の区分幅ずつ互いに異なる複数の値の記録パワーでテストデータの記録を行ない、記録されたテストデータを再生し、再生結果を評価することにより最適記録パワーの概略値を求める。第２の段階は、いわば微調整であり、テスト記録領域に、上記第１の所定の区分幅よりも小さい第２の所定幅ずつ互いに異なり、かつ上記最適記録パワーの概略値に近い範囲内の、複数の値の記録パワーでテストデータの記録を行ない、記録されたテストデータを再生し、再生結果を評価することにより、上記最適記録パワーのより正確な値を求める。
例えば、粗調整においては、ディスクの製造パラツキや記録条件（温度など）の如何を問わず、最適記録パワーが存在し得ると考えられる範囲（最大範囲）の全体に亘って比較的大きな区分幅（ステップ）を用いて記録パワーを変化させ、用いられている記録条件下で用いられているディスクの個々の層に関して最適記録パワーの概略値に近い範囲、即ち最適記録パワーが含まれると判断される範囲を求める。微調整においては、上記の最適記録パワーが含まれると判断される範囲中で比較的小さな区分幅（ステップ）を用いて記録パワーを変化させ、最適記録パワーを求める。
【００５３】
例えば、粗調整においては、上記の最大範囲Ｒ１にわたり、図１５及び図１６に示すように、比較的大きいステップΔＰ１で記録パワーを段階的に変更して記録パワーＰｑと記録パワー（Ｐｑ−ΔＰ１）までの範囲に最適値Ｐｏが含まれるとの判断をする。微調整においては、図１７及び図１８に示すように、記録パワーＰｑから記録パワー（Ｐｑ−ΔＰ１）までの範囲において、ステップΔＰ１より小さなステップΔＰ２で記録パワーを段階的に変更して、最適値Ｐｏを求める。
【００５４】
上記のこれらの処理をフローチャートで表せば図１９及び図２０のごとくである。このうち、粗調整を示す図１９の処理は、概して図５と同じであり、ステップＳ２１乃至Ｓ２７がそれぞれステップＳ１１乃至Ｓ１７に対応するが、ステップＳ２３における記録パワーの変更における区分幅（ステップ）がステップＳ１３の区分幅よりも大きい。また、ステップＳ２６においては、ステップＳ１６のような最適記録パワーの決定が行われるのではなく、「最適記録パワーが含まれる範囲を求める」という処理が行われる。
【００５５】
微調整を示す図２０の処理は、概して図５と同じであり、ステップＳ３１乃至Ｓ３７がそれぞれステップＳ１１乃至Ｓ１７に対応するが、ステップＳ３１の記録パワー初期設定における初期値が、ステップＳ２６で求められた範囲の上限に設定される。また、ステップＳ３４の所定のパワー変更が完了したかどうかの判定ステップにおいては、記録パワーがステップＳ２６で求められた範囲の下限に達したかどうかの判定が行われる。
【００５６】
また、上記のように２段階に分ける場合、粗調整が終わったら、直ちに微調整を行うこととしても良く、粗調整の後、別の処理を行い、その後微調整を行っても良い。
例えば、ディスクが複数の記録層、例えば２つの記録層を有し、その内の一つの記録層（第１の記録層）にユーザデータの記録を行い、その後他の記録層（第２の記録層）に対するユーザデータの記録を行う場合、第１の記録層におけるユーザデータの記録の開始前に、第１の記録層に対するテスト記録と、第２の記録層に対するテスト記録のうちの上記した第１の段階（粗調整）を行ない、第１の記録層に対するユーザデータの記録が終わってから第２の記録層に対するユーザデータの記録の開始前に上記した第２の段階の処理（微調整）を行うこととしても良い。
【００５７】
第１の記録層と第２の記録層に跨って連続記録を行う場合などには、第１の記録層に対するユーザデータの記録が終わってから第２の記録層に対するユーザデータの記録の開始までの時間は短いことが望まれ、一方、記録条件（温度など）は時々刻々変化するので、微調整は各記録層に対するユーザデータの記録の開始直前に行うことが望ましいが、上記の手順とすることで、上記の二つの要求に応えることができる。
【００５８】
上記の手順において、第２の記録層に対する第１段階の処理（粗調整）を、第１の記録層に対するテスト記録の前に行っても良く、第１の記録層に対するテスト記録の後に行っても良い。また、第１の記録層に対するテスト記録を、２段階に分けて行っても良く、図５を参照して説明したように１段階で行っても良い。
さらにまた、第１の記録層に対するユーザデータの記録が途中で中断される場合であって、その中断時間が第２の記録層に対するテスト記録の第１段階の処理（粗調整）を行うのに十分な長さを有する場合、その中断時間中に第２の記録層に対する粗調整を行うこととしても良い。要するに、第１の記録層に対するユーザデータの記録の終了の前に第２の記録層に対する粗調整を行っておけば、第１の記録層へのユーザデータの記録の終了と第２の記録層へのユーザデータの記録の開始前には第２の記録層に対する微調整のみを行えば良いので、時間を短縮することができる。
【００５９】
実施の形態５．
実施の形態１では、各記録層に対するユーザデータの記録に先立って、当該記録層に対するテスト記録を行っているが、このようにする代わりに、複数の記録層、例えばディスクのすべての記録層に対してテスト記録（Ｓ１乃至Ｓ３）を行った後、それらの記録層に対するユーザデータの記録（Ｓ４）を開始することとしても良い。
この場合、一つの記録層にテストデータを記録し（図５のステップＳ１１ないしＳ１４）、再生して（Ｓ１５）、最適記録パワーを決定（Ｓ１６）した後、別の記録層へのテストデータの記録（Ｓ１１乃至Ｓ１４）を行っても良く、複数の記録層にテストデータの記録（Ｓ１１乃至Ｓ１４）を行った後、それらの複数の記録層から順にテストデータを再生し（Ｓ１５）、それぞれの記録層のための最適記録パワーの決定（Ｓ１６）を行うようにしても良い。
【００６０】
このように複数の記録層に対してテスト記録を行った後、それらの記録層に対するユーザデータの記録を開始することとすれば、一つの記録層（第１の記録層）と別の記録層（第２の記録層）に跨って連続記録を行う場合などには、第１の記録層に対するユーザデータの記録が終わった後、（テスト記録を行う必要がないので、）直ちに第２の記録層に対するユーザデータの記録を開始することができるという利点がある。
【００６１】
各記録層に対するユーザデータの記録に先立って当該記録層に対するテスト記録を行うか、上記のように複数の記録層に対するユーザデータの記録に先立って当該複数の記録層のすべてに対するテスト記録を行うかを選択可能にすることもできる。例えば、記録装置に選択のための操作入力手段を設けておき、ユーザが操作入力手段の操作により選択するように構成することができる。ユーザは例えば複数の記録層に跨ると判断される記録を行う場合には、操作入力手段を操作して、複数の記録層に対するテスト記録を行わせる。
【００６２】
なお、上記のように複数の記録層に対するユーザデータの記録に先立って当該複数の記録層のすべてに対するテスト記録を行う場合には、図１及び図２に示すようにすべての記録層のテスト記録領域をディスクの最内周付近に集中して形成したり、或いは逆にすべての記録層のテスト記録領域をディスクの最外周付近に集中して形成することにより、合焦点を最内周付近又は最外周付近に位置させたままで、記録層間の移動のみを行えば良く、テスト記録時間を短縮することができるという効果が得られる。
【００６３】
実施の形態６．
以上の実施の形態で、各記録層に対するテスト記録を当該記録層へのユーザデータの記録の開始前に行い、決定された最適記録パワーを用いてその記録層へのユーザデータの記録を行うことを説明したが、これは必ずしも、その記録層の全体にわたって同じ記録パワーを用いることを意味せず、各記録層に対するユーザデータの記録の途中で、温度の変化などを検出してそれに基く補正をかけることとしても良い。
また、各記録層に対するユーザデータの記録の途中で、例えばユーザデータの記録が中断されたときに、テスト記録を行い、新たに決定された最適記録パワーを用いてそれ以降のユーザデータの記録を行なうこととしても良い。
この際、前にテスト記録を行ってからの所定値以上の温度の変化や所定値以上の時間の経過を条件として、上記した各記録層に対するテスト記録を行うようにしても良い。
【００６４】
実施の形態７．
さらに、実施の形態６で説明したように、複数の記録層、例えばディスクのすべての記録層に対してテスト記録（Ｓ１乃至Ｓ３）を行った後、それらの記録層に対するユーザデータの記録（Ｓ４）を開始する場合に、実施の形態６で説明したように、一つの記録層に対するユーザデータの記録の途中で、例えばユーザデータの記録が中断されたときに、テスト記録を行い、新たに決定された最適記録パワーを用いて上記一つの記録層に対するそれ以降のユーザデータの記録を行った場合であって、上記一つの記録層の記録が終わって別の記録層へのユーザデータの記録を開始する際には、上記一つの記録層に対するユーザデータの記録の終了時に用いていた記録パワーと、最初に複数の記録層に対するテスト記録を行った結果得られたそれぞれの記録層に対する最適記録パワー相互間の比を用いて、上記別の記録層へのユーザデータの記録を開始するようにしても良い。
【００６５】
例えば、第１及び第２の記録層に対するユーザデータの記録の開始前に第１及び第２の記録層に対するテスト記録を行った結果、第１の記録層の最適記録パワーがＰｏ１ａ、第２の記録層の最適記録パワーがＰｏ２ａと決定された場合、第１の記録層に対するユーザデータの記録は記録パワーＰｏ１ａを用いて開始されるが、途中で記録が中断され、再度テスト記録を行った結果、最適記録パワーがＰｏ１ｂと決定され、それを用いて第１の記録層のそれ以降の記録が行われた場合、第１の記録層へのユーザデータの記録の終了時に用いられていた最適記録パワーはＰｏ１ｂである。また、最初に複数の記録層に対するテスト記録を行った結果得られたそれぞれの記録層に対する最適記録パワー相互間の比はＰｏ２ａ／Ｐｏ１ａである。これらを用いて、
Ｐｏ２ｂ＝Ｐｏ１ｂ×（Ｐｏ２ａ／Ｐｏ１ａ）
の計算を行い、求められたＰｏ２ｂを第２の記録層に対する最適記録パワーとして第２の記録層に対するユーザデータの記録を開始する。
【００６６】
こうすることで、第１の記録層と第２の記録層に跨って連続記録を行う場合などには、第１の記録層に対するユーザデータの記録が終わった後、（テスト記録を行う必要がないので、）直ちに第２の記録層に対するユーザデータの記録を開始することができるという利点がある。
【００６７】
さらに、一つの記録層に対するユーザデータの記録の途中における中断時間が比較的長く、１つの記録層及び次に記録に用いられる別の記録層に対するテスト記録を行うのに十分な長さを有する場合、上記の一つの記録層及び上記別の記録層に対するテスト記録を再度行っておき、一つの記録層に対するユーザデータの記録の途中における中断時間が比較的短く、二つの記録層に対するテスト記録を行うには不十分で、かつ上記一つの記録層に対するテスト記録を行うには十分である場合には、上記一つの記録層のみに対するテスト記録を再度行っておき、上記一つの記録層に対するユーザデータの記録の終了時に用いていた記録パワーと、上記一つの記録層と別の記録層の双方に対して同時にかつ最後に行ったテスト記録を行った結果得られたそれぞれの記録層に対する最適記録パワー相互間の比を用いて、上記別の記録層へのユーザデータの記録を開始するようにしても良い。
【００６８】
この場合も、上記した態様での記録を行うかどうかを、ユーザが操作入力手段の操作により選択するように構成することができる。
【図面の簡単な説明】
【００６９】
【図１】この発明の実施の形態１の記録方法で記録された光ディスクの一例の概略平面図である。
【図２】図１の光ディスクのＩＩ−ＩＩ線に沿う概略断面図である。
【図３】この発明の実施の形態１の記録方法の実施に用いられる光記録装置の一例を示す概略ブロック図である。
【図４】この発明の実施の形態１における記録の手順を示すフローチャートである。
【図５】この発明の実施の形態１におけるテスト記録の手順を示すフローチャートである。
【図６】テスト記録領域における記録位置と記録パワーの関係の一例を示す図である。
【図７】テスト記録位置とジッタの関係を示す図である。
【図８】集光スポットから各記録層への熱伝達を示す図である。
【図９】この発明の実施の形態１の記録方法で記録された光ディスクの他の例の概略平面図である。
【図１０】図９の光ディスクのＸ−Ｘ線に沿う概略断面図である。
【図１１】この発明の実施の形態１の記録方法で記録された光ディスクのさらに他の例の概略平面図である。
【図１２】図１１の光ディスクのＸＩＩ−ＸＩＩ線に沿う概略断面図である。
【図１３】この発明の実施の形態２の記録方法で記録された光ディスクを示す概略平面図である。
【図１４】この発明の実施の形態３の記録方法で記録された光ディスクを示す概略平面図である。
【図１５】この発明の実施の形態４の記録方法の粗調整におけるテスト記録領域内の記録位置と記録パワーの関係の一例を示す図である。
【図１６】この発明の実施の形態４の記録方法の粗調整におけるテスト記録位置とジッタの関係を示す図である。
【図１７】この発明の実施の形態４の記録方法の微調整におけるテスト記録領域内の記録位置と記録パワーの関係の一例を示す図である。
【図１８】この発明の実施の形態４の記録方法の微調整におけるテスト記録位置とジッタの関係を示す図である。
【図１９】この発明の実施の形態４の粗調整における記録の手順を示すフローチャートである。
【図２０】この発明の実施の形態４の微調整における記録の手順を示すフローチャートである。
【符号の説明】
【００７０】
１，２  光ディスク、  １１〜１４  記録層、  ２０  ユーザデータ領域、  ２１〜２４  テスト記録領域、  ３０  管理領域、  ３１〜３４  非記録領域、  ４１〜４４  再生専用領域、  ５２  光ピックアップ、  ５５  レーザ駆動回路、  ５６  サーボ制御回路、  ５８  中央制御回路、  ６６  テストパターン発生回路、  ６７  再生回路、  ６８  ジッタ検出回路。
【図１】
2006252762.tif 000003
【図２】
2006252762.tif 000004
【図３】
2006252762.tif 000005
【図４】
2006252762.tif 000006
【図５】
2006252762.tif 000007
【図６】
2006252762.tif 000008
【図７】
2006252762.tif 000009
【図８】
2006252762.tif 000010
【図９】
2006252762.tif 000011
【図１０】
2006252762.tif 000012
【図１１】
2006252762.tif 000013
【図１２】
2006252762.tif 000014
【図１３】
2006252762.tif 000015
【図１４】
2006252762.tif 000016
【図１５】
2006252762.tif 000017
【図１６】
2006252762.tif 000018
【図１７】
2006252762.tif 000019
【図１８】
2006252762.tif 000020
【図１９】
2006252762.tif 000021
【図２０】
2006252762.tif 000022